(57)【要約】【課題】空気調和機の気流を制御する、上下羽根を強く左右に引っ張ると上下羽根が移動し、前面枠との左右隙間が均等にならず、見栄えが悪くなる。【解決手段】空気調和機の気流を制御する、上下羽根３の軸受け３ａ内側に凸部３ｂを設け、及び上下羽根３を駆動するモーター４の軸４ａに凹部４ｂを設け、その両者を係合させることにより、上下羽根３を強く引っ張ったりしても、上下羽根３が移動することが無く、信頼性の高い空気調和機を提供できる。【選択図】図３
2006183908.tif 000002
【特許請求の範囲】
【請求項１】
室内機の気流を制御する上下羽根、上下羽根を駆動するモーター、前記モーターを固定する吹き出しグリルを有し、前記モーターの軸の外周側に設けた凹部と、前記上下羽根の軸受け内周側に設けた凸部を係合固定させた空気調和機。
【請求項２】
上下羽根の軸受け内周側に凸部、モーター軸の外周側に凹部をそれぞれ複数個設けた、請求項1に記載の空気調和機。
【請求項３】
室内機の気流を制御する上下羽根、上下羽根を駆動するモーター、前記モーターを固定する吹き出しグリルを有し、前記モーターの軸の外周側に設けた凸部と、前記上下羽根の軸受け内周側に設けた凹部を係合固定させた空気調和機。
【請求項４】
上下羽根の軸受け内周側に凹部、モーター軸の外周側に凸部をそれぞれ複数個設けた、請求項３に記載の空気調和機。
【発明の詳細な説明】
【技術分野】
【０００１】
本発明は、気流制御を行う上下羽根と上下羽根を駆動するモーターを有する空気調和機に関するものである。
【背景技術】
【０００２】
従来、この種の空気調和機は、上下羽根の軸受けと、モーターの軸を微妙に嵌合させ、上下羽根の軸受けとモーターの軸との摩擦抵抗で、抜け防止を行っていた（例えば特許文献１参照）。
【０００３】
図１１、図１２、図１３は、特許文献１に記載された従来の上下羽根の軸受けと、モーターの軸との係合状態を示すものである。図１１は従来例の正面図、図１２は要部拡大図、図１３は従来例の下面図である。図１１、図１２、図１３に示すように、吹き出しグリル１１に固定されたモーター４の軸１３が、上下羽根３の軸受け１５に挿入係合された構成になっている。また、モーター４の軸１３と上下羽根３の軸受け１５が弾性を有する継手部材を介して係合された構成の場合もある。
【特許文献１】特開平１１−０１４１３４号公報
【発明の開示】
【発明が解決しようとする課題】
【０００４】
しかしながら、前記従来の構成では、上下羽根の軸受けと、モーターの軸が摩擦抵抗だけで係合固定されているため、上下羽根を手で左右に移動すると簡単に移動し、吹き出しグリルとの左右隙間が不均等になる。また嵌合を強くし摩擦抵抗を強くすると、上下羽根の軸受けに常に強いストレスが加わり、最悪の場合はストレスクラックをおこし、上下羽根の駆動が出来なくなり、空気調和機の気流制御が出来なくなると言う課題を有していた。
【０００５】
本発明は、前記従来の課題を解決するもので、上下羽根の軸受けと、モーターの軸を機械的に係合させ、抜け防止を図り、信頼性の高い空気調和機を提供することを目的とする。
【課題を解決するための手段】
【０００６】
前記従来の課題を解決するために、本発明の空気調和機は、上下羽根の軸受け内周側に凸部または凹部を設け、モーターの軸の外周側に設けた、凹部または凸部に係合することにより上下羽根の抜け防止を行うものである。
【０００７】
これによって、上下羽根の軸受けとモーターの軸は機械的に係合され、上下羽根は簡単に移動せず、また、上下羽根の軸受けに常に強いストレスが加わることがない。
【発明の効果】
【０００８】
本発明の空気調和機は、上下羽根の軸受けとモーターの軸は機械的に係合され、上下羽根は簡単に移動せず、また、上下羽根の軸受けに常に強いストレスが加わることがないので、吹き出しグリルとの左右隙間が不均等になったり、ストレスクラックによって上下羽根の駆動が出来なくなり、空気調和機の気流制御が出来なくなるといった不具合が発生しない。
【発明を実施するための最良の形態】
【０００９】
第１の発明は、上下羽根の軸受け内周側に凸部を設け、及びモーター軸の外周側に凹部
を設け、各々を係合することにより、上下羽根の抜け防止をすることができる。
【００１０】
第２の発明は、特に第１の発明の、上下羽根の軸受けの内周側に凸部、及びモーターの軸の外周側に凹部を複数個設け、各々を係合することにより、さらに抜け防止を確実にすることができる。
【００１１】
第３の発明は、上下羽根の内周側に凹部を設け、及びモーター軸の外周側に凸部を設け、各々を係合することにより、上下羽根の抜け防止をすることができる。
【００１２】
第４の発明は、特に、第３の発明の、上下羽根の軸受けの内周側に凹部、モーター軸の外周側に凸部を複数個設け、上下羽根の抜け防止を更に確実にすることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の正面図、図２は、正面図の要部拡大図を示すものである。図３（ａ）は、本実施の第１の実施の形態における軸受けと軸の要部拡大図、（ｂ）は軸受けと軸の係合状態を示す正面図、図４は、本実施の第１の実施の形態における軸受けの要部斜視図である。
【００１５】
図１〜４において、１は外郭を構成する前面枠、２は前面枠１に取りつけた吸入グリル、3は空気調和機の気流制御する上下羽根、4は上下羽根３を駆動するモーター、５はモーター４を固定している吹き出しグリル、３ａは上下羽根３に具備した軸受け、３ｂは軸受け３ａの内側に具備した凸部、４ａはモーターに具備した上下羽根軸受け３ａと固定するための軸である。４ｂは軸４ａの外周側に具備した凹部、3ｃは軸４ｂを軸受け３ａに挿入する際に、凸部３ｂが撓み易くするための溝部である。
【００１６】
以上の構成により、モーター４の軸４ａを、上下羽根３の軸３ａに挿入し、モーター４の軸４ａの外周側に具備した凹部４ｂに、上下羽根３に具備した軸受け３ａの内周側に具備した凸部３ｂが係合し、上下羽根３の軸受け３ａはモーター４の軸４ａより容易に抜けることが無い。
【００１７】
また、この構成により上下羽根３の軸受け３ａには、従来のように常にストレスが加わらないことにより、悪条件下でのストレスクラックも防止することが出来る。
【００１８】
（実施の形態２）
図５（ａ）は、本実施の第２の実施の形態における軸受けと軸の要部拡大図、（ｂ）は軸受けと軸の係合状態を示す正面図、図６は、本実施の第２の実施の形態における軸受けの要部斜視図である。
【００１９】
図５、６において、上下羽根３の軸受け３ａの内周側に凸部３ｂ及びモーター４の軸４ａの外周側に凹部４ｂを複数個設け、各々を係合させることにより、さらに確実に、上下羽根３の軸受け３ａのモーター４の軸４ａからの抜け防止をすることができる。
【００２０】
（実施の形態３）
図７（ａ）は、本実施の第３の実施の形態における軸受けと軸の要部拡大図、（ｂ）は軸受けと軸の係合状態を示す正面図、図８は、本実施の第３の実施の形態における軸受けの要部斜視図である。
【００２１】
図７、図８において、モーター４の軸４ａを上下羽根3の軸受け３ａに挿入することにより、上下羽根３の軸受け３ａの内周側に具備した凹部３ｄと、モーター４の軸４ａの外周側に具備した凸部４ｃが係合し上下羽根３に軸受け３ａが、モーター４の軸４ａより抜けを防止することができる。
【００２２】
（実施の形態４）
図９（ａ）は、本実施の第４の実施の形態における軸受けと軸の要部拡大図、（ｂ）は軸受けと軸の係合状態を示す正面図、図１０は、本実施の第４の実施の形態における軸受けの要部斜視図である。
【００２３】
図９、図１０において、上下羽根３の軸受け３ａの内周側凹部３ｄ、及びモーター４の軸４ａの外側に凸部４ｃを複数個設け、各々を係合させることにより、さらに確実に、上下羽根３の軸受け３ａの、モーター４の軸４ａからの抜け防止をすることができる。
【産業上の利用可能性】
【００２４】
以上のように、本発明にかかる空気調和機は、軸と軸受けにそれぞれ凹部凸部を設けて係合させるという簡単な構成で、モーターの軸抜けを防止することができるので、モーターを有する種々の製品の用途にも適用できる。
【図面の簡単な説明】
【００２５】
【図１】本発明の第１の実施の形態における空気調和機の正面図
【図２】本発明の第１の実施の形態における空気調和機の正面図の要部拡大図
【図３】（ａ）本実施の第１の実施の形態における軸受けと軸の要部拡大図（ｂ）軸受けと軸の係合状態を示す正面図
【図４】本実施の第１の実施の形態における軸受けの要部斜視図
【図５】（ａ）本実施の第２の実施の形態における軸受けと軸の要部拡大図（ｂ）軸受けと軸の係合状態を示す正面図
【図６】本実施の第２の実施の形態における軸受けの要部斜視図
【図７】（ａ）本実施の第３の実施の形態における軸受けと軸の要部拡大図（ｂ）軸受けと軸の係合状態を示す正面図
【図８】本実施の第３の実施の形態における軸受けの要部斜視図
【図９】（ａ）本実施の第４の実施の形態における軸受けと軸の要部拡大図（ｂ）軸受けと軸の係合状態を示す正面図
【図１０】本実施の第４の実施の形態における軸受けの要部斜視図
【図１１】従来の空気調和機の正面図の要部拡大図
【図１２】従来の空気調和機の軸受けと軸の要部拡大図
【図１３】従来の空気調和機の下面図の要部拡大図
【符号の説明】
【００２６】
１  前面枠
２  吸入グリル
３  上下羽根
３ａ  軸受け
３ｂ  凸部
３ｄ  凹部
４  モーター
４ａ  軸
４ｂ  凹部
４ｃ  凸部
１１  吹き出しグリル
１３  軸
１５  軸受け
【図１】
2006183908.tif 000003
【図２】
2006183908.tif 000004
【図３】
2006183908.tif 000005
【図４】
2006183908.tif 000006
【図５】
2006183908.tif 000007
【図６】
2006183908.tif 000008
【図７】
2006183908.tif 000009
【図８】
2006183908.tif 000010
【図９】
2006183908.tif 000011
【図１０】
2006183908.tif 000012
【図１１】
2006183908.tif 000013
【図１２】
2006183908.tif 000014
【図１３】
2006183908.tif 000015